(57)【要約】【課題】  強化されたグラウンドコンティニュイティテスト条件を満たせる簡単な構造のモニター用パワーインレットソケットを提供する。【解決手段】  パワーインレットソケットは、外部電源プラグを収めるソケットボディと、ソケットボディに備えられ、電源プラグと接続される第１ピン部および基板に半田付けされる第２ピン部をそれぞれ有するライブ端子およびニュートラル端子と、ソケットボディのライブ端子とニュートラル端子との間に備えられる接地端子、および接地端子と連結され、ソケットボディの両側で基板に半田付けされる接地部材とを含む。接地部材はソケットボディの背面で接地端子と連結されこの連結部から分岐されソケットボディの上面および両側面を取り囲む構造で形成される。接地端子はソケットボディの空間部で電源プラグと接続される第１ピン部と該第１ピン部と垂直に連結されるようソケットボディの背面に配置される第２ピン部を備え、第２ピン部はソケットボディの下面の下に突出されなくて基板に直接に半田付けされない。【選択図】      図４ 
2005158710.tif 000002
【特許請求の範囲】
【請求項１】
外部電源プラグとの接続のために情報家電製品の電源供給装置用基板に実装されるものであって、
前記電源プラグを収めるソケットボディと、
該ソケットボディに一定間隔を隔てて備えられ、前記電源プラグと接続される第１ピン部および前記基板に半田付けされる第２ピン部をそれぞれ有するライブ端子およびニュートラル端子と、
該ライブ端子とニュートラル端子との間に位置するようソケットボディに備えられる接地端子と、
該接地端子と連結され、前記ソケットボディの両側で前記基板に半田付けされる接地部材とを含むことを特徴とするパワーインレットソケット。
【請求項２】
前記ソケットボディは、下面、両側面、上面および背面により形成される一側が開放された空間部を有し、前記接地部材は前記背面で前記接地端子と連結され、この連結部から分岐され前記上面および両側面を取り囲む構造で形成されることを特徴とする請求項１に記載のパワーインレットソケット。
【請求項３】
前記接地端子は、前記ソケットボディの空間部で前記電源プラグと接続される第１ピン部と、該第１ピン部と垂直に連結されるよう前記ソケットボディの背面に配置される第２ピン部を備え、前記第２ピン部は前記ソケットボディの下面の下に突出されなくて基板に直接に半田付けされないことを特徴とする請求項２に記載のパワーインレットソケット。
【請求項４】
外部電源プラグとの接続のために情報家電製品の電源供給装置用基板に実装されるもので、
下面、両側面、上面および背面により形成される前記電源プラグが挿入される一側が開放された空間部を有するソケットボディと、
該ソケットボディの空間部で前記電源プラグと接続されるよう配置される第１ピン部と、該第１ピン部と垂直に連結されるよう前記ソケットボディの背面に配置され前記基板に半田付けされる第２ピン部をそれぞれ有するライブ端子およびニュートラル端子と、
前記ソケットボディの前記ライブ端子とニュートラル端子との間に配置される接地端子と、
前記ソケットボディの背面で前記接地端子と連結され、この連結部で分岐され前記ソケットボディの上面と両側面を取り囲むよう延び、端部が前記基板に半田付けされる接地部材と、
前記接地部材を前記ソケットボディの両側で位置固定する支持手段とを含むことを特徴とするパワーインレットソケット。
【請求項５】
前記接地端子はソケットボディの空間部で前記電源プラグと接続される第１ピン部と、該第１ピン部と垂直に連結されるよう前記ソケットボディの背面に配置される第２ピン部を備え、前記第２ピン部は前記ソケットボディの下面の下に突出されなくて基板に直接に半田付けされないことを特徴とする請求項４に記載のパワーインレットソケット。
【請求項６】
前記接地部材支持手段は、前記ソケットボディの両側面に所定のレールが形成されるようそれぞれ形成される１対の支持リブを含み、前記接地部材は前記レールに収められて支持されることを特徴とする請求項４に記載のパワーインレットソケット。
【請求項７】
前記接地部材支持手段は、前記ソケットボディの両側面に所定高さでそれぞれ形成される支持ブロックと、前記接地部材に前記支持ブロックと対応するよう形成された支持孔を含んで構成されることを特徴とする請求項４に記載のパワーインレットソケット。
【請求項８】
前記支持ブロックは、ソケットの実装方向から見てその上部から下部に外向きに傾斜して形成されることを特徴とする請求項７に記載のパワーインレットソケット。
【請求項９】
前記ソケットボディの下面には中央部に１対の固定フックが一定間隔を隔てて形成され、前記基板には前記１対の固定フックがフック結合される１対のフック孔が形成され基板に対するソケットの固定を補助するようになることを特徴とする請求項４に記載のパワーインレットソケット。
【発明の詳細な説明】
【技術分野】
【０００１】
本発明はモニターなどのような情報家電製品の電源供給装置に係り、さらに具体的には電源供給装置の基板に備えられる外部電源プラグとの接続のためのパワーインレットソケットに関する。
【背景技術】
【０００２】
情報家電製品の電源供給装置は外部電源プラグが連結されるパワーインレットソケットを備える。このようなパワーインレットソケットは電源供給装置の基板に備えられるが、図１Ａおよび図１Ｂはモニターの電源供給装置を構成するパワーインレットソケットを示す。
【０００３】
図において参照符号１は基板であり、２はパワーインレットソケットである。示したように、パワーインレットソケット２はソケットボディ３と多数の端子４、５、６を備える。
【０００４】
ソケットボディ３は下面、両側面の上面および背面により形成される空間部を備え、前記下面に形成された１対の固定フック３ａが前記基板１に形成された１対のフック孔１ａに挿入されることによって基板１に装着される。
【０００５】
多数の端子４、５、６のうち１つはライブ端子４、もう１つはニュートラル端子５、そして残り１つは接地端子６である。これらそれぞれの端子４、５、６は第１ピン部４ａ、５ａ、６ａと第２ピン部４ｂ、５ｂ、６ｂを備える。第１ピン部４ａ、５ａ、６ａと第２ピン４ｂ、５ｂ、６ｂはソケットボディ３の背面に形成された孔(図示せず)を通して互いに垂直に連結されている。
【０００６】
第１ピン部４ａ、５ａ、６ａは図１Ａに示したように、ソケットボディ３の空間部で電源プラグ(図示せず)と接続するよう配置されており、第２ピン部４ｂ、５ｂ、６ｂは図１Ｂに示したように、ソケットボディ３の背面に配置されたままその端部が基板１に半田付けされている。
【０００７】
接地ワイヤ７はその一端が接地端子６の第２ピン部６ｂに連結され他端は基板１に半田付けされており、これにより外部の電源プラグから印加される過電流は前述した接地端子６と接地ワイヤ７を通してパスされることによって電源供給の安定性およびテスト条件を満たせる。
【０００８】
しかし、前述したような従来のパワーインレットソケットは、接地端子６以外に別の接地ワイヤ７を備えることによって、電源供給の安定性と特に最近規格条件が強化されたグラウンドコンティニュイティテスト条件を満たしているが、接地ワイヤ７を接地端子６と基板１にそれぞれ連結する追加のワイヤハーネス作業を必要とする問題点がある。
【０００９】
従来のパワーインレットソケットは、ソケットから遠距離に所定のループを持って基板に半田付けされる接地ワイヤ７を使用することによって、この接地ワイヤ７の動きによって基板１の他の周囲の部品との接触および干渉による問題の発生の恐れもある。
【００１０】
従来のパワーインレットソケットはライブ端子４およびニュートラル端子５間に接地端子６が配置され基板１にそれぞれ半田付けされる構造であって、基板１の端子パターンが近接して基板パターンの設計時空間距離の確保に困難がある。従来は基板１の端子パターン間十分な空間距離を確保するため、基板の端子パターン間に半円形のホールを形成させているところ、このような工程の追加によるコストアップの問題を避けられない。
【特許文献１】韓国登録実用２０−０２７５３５０
【特許文献２】アメリカ特許４、９７５、０６９
【発明の開示】
【発明が解決しようとする課題】
【００１１】
本発明は前述したような点を勘案して案出されたもので、その目的は強化された規格条件、すなわちグラウンドコンティニュイティテスト条件を満たす接地特性を有しつつ構造が単純なので基板への実装が容易なパワーインレットソケットを提供することにある。
【００１２】
本発明の他の目的は、接地ワイヤの使用を排除することによって接地ワイヤと基板の他の部品との干渉によって発生される恐れのある問題点を解消させられるパワーインレットソケットを提供するところにある。
【００１３】
本発明のさらに他の目的は、端子間の空間距離を十分に確保することによって基板のパターン設計に有利なパワーインレットソケットを提供するところにある。
【課題を解決するための手段】
【００１４】
前述した目的を達成するための本発明に係るパワーインレットソケットは、外部電源プラグを収めるソケットボディと、ソケットボディに備えられ、電源プラグと接続される第１ピン部および基板に半田付けされる第２ピン部をそれぞれ有するライブ端子およびニュートラル端子と、ソケットボディのライブ端子とニュートラル端子との間に具備される接地端子、および接地端子と連結され、ソケットボディの両側で基板に半田付けされる接地部材とを含むことを特徴とする。
【００１５】
前記ソケットボディは、下面、両側面、上面および背面により形成される一側が開放された空間部を有し、前記接地部材は前記背面で前記接地端子と連結され、この連結部から分岐され前記上面および両側面を取り囲む構造で形成される。
【００１６】
また、前記接地端子は、前記ソケットボディの空間部で前記電源プラグと接続される第１ピン部と、該第１ピン部と垂直に連結されるよう前記ソケットボディの背面に配置される第２ピン部を備え、前記第２ピン部は前記ソケットボディの下面の下に突出されなくて基板に直接に半田付けされないことを特徴とする。
【００１７】
本発明の好ましい実施例によれば、パワーインレットソケットは外部電源プラグとの接続のために情報家電製品の電源供給装置用基板に実装されるもので、下面、両側面、上面および背面により形成される前記電源プラグが挿入される一側が開放された空間部を有するソケットボディと、該ソケットボディの空間部で前記電源プラグと接続されるよう配置される第１ピン部と、該第１ピン部と垂直に連結されるよう前記ソケットボディの背面に配置され前記基板に半田付けされる第２ピン部をそれぞれ有するライブ端子およびニュートラル端子と、前記ソケットボディの前記ライブ端子とニュートラル端子との間に配置される接地端子と、前記ソケットボディの背面で前記接地端子と連結され、この連結部で分岐され前記ソケットボディの上面と両側面を取り囲むよう延び、端部が前記基板に半田付けされる接地部材と、該接地部材を前記ソケットボディの両側で位置固定する支持手段とを含む。
【００１８】
前記接地端子はソケットボディの空間部で前記電源プラグと接続される第１ピン部と、該第１ピン部と垂直に連結されるよう前記ソケットボディの背面に配置される第２ピン部を備え、前記第２ピン部は前記ソケットボディの下面の下に突出されなくて基板に直接に半田付けされない。
【００１９】
前記接地部材支持手段は、前記ソケットボディの両側面に所定のレールが形成されるようそれぞれ形成される１対の支持リブを含み、前記接地部材は前記レールに収められ支持される。
【００２０】
また、前記接地部材支持手段は、前記ソケットボディの両側面に所定高さでそれぞれ形成される支持ブロックと、前記接地部材に前記支持ブロックと対応するよう形成された支持孔を含んで構成されうる。
【００２１】
ここで、前記支持ブロックは、ソケット実装方向に見てその上部から下部に外向きに傾斜して形成されることが良い。
【００２２】
前記ソケットボディの下面には中央部に１対の固定フックが一定間隔を隔てて形成され、前記基板には前記１対の固定フックがフック結合される１対のフック孔が形成され、基板に対するソケットの固定を補助するよう構成される。
【発明の効果】
【００２３】
本発明に係るパワーインレットソケットは、接地部材がソケットボディの外郭を包む形態よりなり、またソケットボディの両側でライブ端子およびニュートラル端子と共に基板に半田付けされるので、従来の接地ワイヤを使うソケットに比べて組立工程が簡素化される。
【００２４】
また、本発明のパワーインレットソケットは、接地部材がソケットボディにほぼ一体に具備されるため、接地部材が基板の他の部品と干渉されることが全くない。
【００２５】
そして、本発明のパワーインレットソケットは、ライブ端子とニュートラル端子との間に置かれる接地端子が基板に直接に半田付けされないため、ライブ端子とニュートラル端子との空間距離を十分に確保することができる。従って、基板の端子間パターン設計が極めて有利である。
【００２６】
また、本発明のパワーインレットソケットは、ソケットボディの背面位置でライブ端子とニュートラル端子が基板に半田付けされ、ソケットボディの中央部、言い換えれば、ソケットボディの固定フックが存在する部分で接地部材の両端部が基板に半田付けされるため、ソケットの基板に対する固定を強化させられる。
【００２７】
すなわち、本発明によれば、規格が強化されたグラウンドコンティニュイティテスト条件を満たしながらも構造が簡単なので組立性に優れ、また低価格で高信頼性を有するパワーインレットソケットを提供することができる。
【発明を実施するための最良の形態】
【００２８】
以下、本発明の好ましい実施例を添付した図面に基づき説明する。
【００２９】
図２Ａおよび図２Ｂは本発明の一実施例によるパワーインレットソケットの構造を示した側面図および背面図であり、図３は図２Ａおよび図２Ｂに示した本発明の一実施例によるパワーインレットソケットの斜視図である。
【００３０】
図２Ａ、図２Ｂおよび図３に示したように、本発明の一実施例によるパワーインレットソケットは、ソケットボディ１０、ライブ端子２０、ニュートラル端子３０、接地端子４０および接地部材５０を備える。
【００３１】
ソケットボディ１０は基板７０に接する下面１４、両側面１６、１６'、上面１８および背面１９により形成される外部電源プラグが挿入される一側が開放された空間部１２を備えている。また、ソケットボディ１０はその下面１４の略中央部で一定間隔を開けて形成された１対の固定フック１１が基板７０に形成された１対のフック孔７１にフック結合されることによって基板１０に装着される。このようなソケットボディ１０はプラスチックモールド物で形成されることが好ましい。
【００３２】
ライブ端子２０とニュートラル端子３０は前記ソケットボディ１０の背面１９に形成された孔(図示せず)を通してソケットボディ１０に一定間隔を開けて押し込まれて設けられる。これら端子２０、３０はそれぞれ前記ソケットボディ１０の空間部１２で前記電源プラグと接続される第１ピン部２０ａ、３０ａと、第１ピン部２０ａ、３０ａと垂直に連結され前記ソケットボディ１０の背面１９に配置される第２ピン部２０ｂ、３０ｂを備える。前記第２ピン部２０ｂ、３０ｂはその端部がソケットボディ１０の下面１４の下に所定高さで突出され、この突出部が基板７０に半田付けされることによって基板７０のパターンと電気的な接続をなす。
【００３３】
接地端子４０はソケットボディ１０のライブ端子２０とニュートラル端子３０との間に位置するようこれらライブ端子２０とニュートラル端子３０と同じ構造でソケットボディ１０に設けられる。接地端子４０もライブ端子２０およびニュートラル端子３０と同じ構造、すなわちソケットボディ１０の空間部１２で電源プラグと接続される第１ピン部４０ａ、および該第１ピン部４０ａと垂直に連結されソケットボディ１０の背面に配置される第２ピン部４０ｂを備える。但し、違う点はこの接地端子４０の第２ピン部４０ｂはその端部がソケットボディ１０の下面１４の下に突出されないことである。従って、従来の接地端子６(図１Ｂ参照)はその端部が基板に半田付けされたが、本発明の接地端子４０は図２Ｂに示したように、基板７０に半田付けされない。従って、ライブ端子２０とニュートラル端子３０との空間距離を十分に確保でき、これにより基板７０の端子パタンを設計することによって極めて有利になる。
【００３４】
接地部材５０は前記接地端子４０に連結される一端部５１と、該一端部５１で二股に分岐された後ソケットボディ１０の上面１８および両側面１６、１６'を取り囲むよう延びた他端部５２、５２'を備え、他端部５２、５２'の下端部が基板７０に半田付けされることによって基板７０の接地パターンと電気的な連結をなす。接地部材５０は金属材質であり、基板７０との連結はソケットを基板７０に実装する際、ライブ端子２０およびニュートラル端子３０と共にソルダリングされる。すなわち、従来はソケットを基板にソルダリングした後接地ワイヤのためのワイヤハーネス作業を別に進んだが、本発明はソケットを基板に実装する一回の工程で接地構造まで形成できる。
【００３５】
このような本発明に係るパワーインレットソケットはテスト時や電源プラグを通して接地端子４０に流入された電流が接地部材５０を通してセットのシールド部分にパスされ、過電流が誘起される場合も電流ループが両側から分散し流れ、また、接地部材５０の材質が金属なので、効率的な過電流の流れを誘導することができる。
【００３６】
一方、本発明の一実施例によるパワーインレットソケットは、接地部材５０を前記ソケットボディ１０に位置固定するための支持手段６０を備える、この接地部材支持手段６０はソケットボディ１０の両側面に所定高さでそれぞれ形成される支持ブロック６１と支持ブロック６１と対応する位置の接地部材５０にそれぞれ形成された支持孔６２で構成されうる。望ましくは、支持ブロック６１は図３Ａに示したように、ソケット実装方向に上部から下部に行くほど外向きに傾斜して形成される。
【００３７】
図４は本発明の他の実施例によるパワーインレットソケットを示した斜視図である。図面を通して分かるように、ソケットの全体的な構成は前述した本発明の一実施例と同じくなされる。但し、本発明の他の実施例によるパワーインレットソケットは接地部材支持手段の構成が前述した一実施例と違う。
【００３８】
すなわち、本発明の他の実施例によるパワーインレットソケットの接地部材支持手段は、ソケットボディ１０の両側面に互いに対をなすようそれぞれ形成される支持リブ６３を含む。支持リブ６３はそれぞれ
【００３９】
【数１】
2005158710.tif 000003
形状で形成され、これによりソケットボディ１０の両側面には所定のレールが形成され、このレールに接地部材５０が収められて離脱されないように保持される。
【００４０】
以上、本発明を本発明の原理を例示するための好ましい実施例と関連して示しかつ説明したが、本発明はそのように示しかつ説明されたそのままの構成および作用に限定されることではない。かえって特許請求の範囲の思想および範疇を逸脱せず本発明に対する多数の変更および修正が可能なことを当業者らはよく理解できろう。従って、そのような全ての適切な変更および修正と均等物も本発明の範囲に属すると見做されるべきである。
【産業上の利用可能性】
【００４１】
本発明のパワーインレットソケットはモニターなどのような家電製品の電源供給装置を構成するのに所定のテスト条件を満たせるだけではなく、信頼性を高められる。
【図面の簡単な説明】
【００４２】
【図１Ａ】一般のパワーインレットソケットの構造を示した側面図および背面図である。
【図１Ｂ】一般のパワーインレットソケットの構造を示した側面図および背面図である。
【図２Ａ】本発明の一実施例によるパワーインレットソケットの構造を示した側面図および背面図である。
【図２Ｂ】本発明の一実施例によるパワーインレットソケットの構造を示した側面図および背面図である。
【図３】図２Ａおよび図２Ｂに示した本発明の一実施例によるパワーインレットソケットの斜視図である。
【図３Ａ】図３に示した本発明に係るパワーインレットソケットの支持ブロックの部分拡大断面図である。
【図４】本発明の他の実施例によるパワーインレットソケットの斜視図である。
【符号の説明】
【００４３】
１０  ソケットボディ
１１  固定フック
２０  ライブ端子
３０  ニュートラル端子
４０  接地端子
２０ａ、３０ａ、４０ａ  第１ピン部
２０ｂ、３０ｂ、４０ｂ  第２ピン部
５０  接地部材
６０  接地部材支持手段
６１  支持ブロック
６２  支持孔
６３  支持リブ
７０  基板
７１  フック孔
【図１Ａ】
2005158710.tif 000004
【図１Ｂ】
2005158710.tif 000005
【図２Ａ】
2005158710.tif 000006
【図２Ｂ】
2005158710.tif 000007
【図３】
2005158710.tif 000008
【図３Ａ】
2005158710.tif 000009
【図４】
2005158710.tif 000010